(57)【要約】【課題】車椅子を搭載するデッキルーム内の見栄えを、簡単な構成によって高めた福祉車両を提案する。【解決手段】車椅子を搭載するデッキルームＲの一方の側部にスペアタイヤ３が格納され、このスペアタイヤ３は、トリム４によって覆われている。トリム４は、車体に固定された固定パネル９と、この固定パネル９に着脱可能に組み付けられたカバーパネル１０より成り、カバーパネル１０を取り外すことによってスペアタイヤ３を取り出すことができる。手すり８は、トリム４の外部に露出して配置され、この手すり８を支持する支柱５もパネル４によって覆われている。【選択図】  図１
2004168115.tif 000002
【特許請求の範囲】
【請求項１】
デッキルームの一方の側部にスペアタイヤが格納されていて、該デッキルームに車椅子を搭載可能な福祉車両において、前記デッキルームの一方の側部に格納されたスペアタイヤを覆うトリムを設けたことを特徴とする福祉車両。
【請求項２】
前記デッキルームの他方の側部を覆う他のトリムを設けた請求項１に記載の福祉車両。
【請求項３】
前記トリムと他のトリムに、カップホルダ、小物入れ、傘立て、杖立て及び灰皿のうちの少なくとも１つを設けた請求項２に記載の福祉車両。
【発明の詳細な説明】
【０００１】
【発明の属する技術分野】
本発明は、デッキルームに車椅子を搭載することのできる福祉車両に関するものである。
【０００２】
【従来の技術】
上記形式の福祉車両においては、そのデッキルームの一方の側部にスペアタイヤが格納されている。従来はそのスペアタイヤが剥き出しになっていたため、デッキルーム内の見栄えが悪かった。図５は従来の福祉車両のデッキルーム内を、車体後部のバックドア開口１Ａの外部から見た斜視図である。この図からも判るように、デッキルームの一方の側部に格納されたスペアタイヤ３Ａが剥き出しとなっている。また、図５に示した例では、デッキルームの一方の側部に手すり８Ａが設けられているが、この手すり８Ａも剥き出しとなっている。デッキルームの他方の側部にも手すりが設けられるのが普通であるが、従来はこの手すりも剥き出しとなっていた。このように、従来の福祉車両は、多数の部品やスペアタイヤが剥き出しとなっているため、デッキルーム内が雑然とした感じとなり、その見栄えが低下する欠点を免れなかった。
【０００３】
【発明が解決しようとする課題】
本発明の目的は、簡単な構成で上記従来の欠点を除去した福祉車両を提供することにある。
【０００４】
【課題を解決するための手段】
本発明は、上記目的を達成するため、デッキルームの一方の側部にスペアタイヤが格納されていて、該デッキルームに車椅子を搭載可能な福祉車両において、前記デッキルームの一方の側部に格納されたスペアタイヤを覆うトリムを設けたことを特徴とする福祉車両を提案する（請求項１）。
【０００５】
また、上記請求項１に記載の福祉車両において、前記デッキルームの他方の側部を覆う他のトリムを設けると有利である（請求項２）。
【０００６】
さらに、上記請求項２に記載の福祉車両において、前記トリムと他のトリムに、カップホルダ、小物入れ、傘立て、杖立て及び灰皿のうちの少なくとも１つを設けると有利である（請求項３）。
【０００７】
【発明の実施の形態】
以下、本発明の実施形態例を図面に従って詳細に説明する。
【０００８】
図１は福祉車両の車体後部に開閉自在に支持されたバックドア（図示せず）を開いた状態で、そのバックドア開口１からデッキルームＲの一方の側部を見たときの斜視図である。このデッキルームＲの床面を構成するフロアパネル２上に、図示していない車椅子が搭載される。図１における符号Ｆは福祉車両の前進方向を示し、Ｗはその車体の幅方向を示している（図２乃至図４においても同じ）。
【０００９】
デッキルームＲ内の車体幅方向Ｗにおける一方の側部には、スペアタイヤ３が着脱可能に格納されているが、このスペアタイヤ３は、トリム４によって覆われている。このトリム４は、スペアタイヤ３の手前側に配置された支柱５も覆っており、この支柱５の両基端部６，６はフロアパネル２に固定されている。かかる支柱５にブラケット７，７を介して手すり８が固定され、該手すり８はトリム４の外部に露出している。デッキルームＲ内に搭載された車椅子に着座した人が、この手すりに手を掛けることができる。図２はトリム４をデッキルーム内から見た斜視図である。
【００１０】
図１及び図２に示したトリム４は、車体に対して固定された固定パネル９と、該固定パネル９に対して着脱可能なカバーパネル１０より成り、これらのパネル９，１０は例えば樹脂の成形品により構成されている。図１及び図２における符号１１は、固定パネル９とカバーパネル１０の合せ部を示している。スペアタイヤ３を取り出し、又はこれを格納するときは、図２に矢印Ａで示すようにカバーパネル１０を固定パネル９から取り外す。図２には取り外したカバーパネル１０の一部を二点鎖線で示してある。
【００１１】
上述のように、スペアタイヤ３と、支柱５をトリム４によって覆うことができるので、これらがデッキルーム内に剥き出しとなることはなく、デッキルーム内の見栄えを高めることができる。しかもカバーパネル１０を取り外すことによってスペアタイヤ３を支障なく取り出し、又はこれを格納することができる。
【００１２】
図３はデッキルームＲ内の車体幅方向Ｗにおける他方の側部を示す、図１と同様な斜視図である。この図から判るように、デッキルームＲの他方の側部も、他のトリム１０４によって覆われており、この場合も、手すり１２がトリム１０４の外部に露出している。図４は、この他のトリム１０４をデッキルーム内から見た斜視図である。
【００１３】
上述のように、デッキルームＲ内の車体幅方向Ｗにおける他方の側部も他のトリム１０４により覆うことにより、デッキルーム内の見栄えをより一層高めることができる。
【００１４】
上述のトリム４と他のトリム１０４に各種の付属品を設けると、当該トリムを他の目的にも利用することが可能となる。例えば、図１及び図２に示すように、トリム４に灰皿１３を設け、また、図３及び図４に示すように、他のトリム１０４に開閉自在な小物入れ１４のドアや、引き出し可能なカップホルダ１５や、傘立てないしは杖立て１６を設け、車椅子に着座した人がこれらのものを自由に利用できるように構成することができる。このように、トリム４と、他のトリム１０４に、カップホルダ、小物入れ、傘立て、杖立て及び灰皿のうちの少なくとも１つを設けると有利である。
【００１５】
以上説明したトリム４と他のトリム１０４は、既に市場に出回っている福祉車両にも、後付けで装着することができる。
【００１６】
【発明の効果】
本発明によれば、簡単な構成によって福祉車両のデッキルーム内の見栄えを向上させることができる。
【図面の簡単な説明】
【図１】福祉車両のデッキルームの一方の側部を覆うトリムを車体後部のバックドア開口後方から見た斜視図である。
【図２】図１に示したトリムをデッキルーム内から見た斜視図である。
【図３】デッキルームの他方の側部を覆う他のトリムを示す、図１と同様な斜視図である。
【図４】図３に示した他のトリムをデッキルーム内から見た斜視図である。
【図５】従来の福祉車両のデッキルーム内を示す斜視図である。
【符号の説明】
３  スペアタイヤ
４  トリム
１３  灰皿
１５  傘立て、杖立て
１０４  他のトリム
Ｒ  デッキルーム
【図１】
2004168115.tif 000003
【図２】
2004168115.tif 000004
【図３】
2004168115.tif 000005
【図４】
2004168115.tif 000006
【図５】
2004168115.tif 000007